(57)【要約】【課題】走行玩具が走行する走行路に設けられた形象物に直接関係し、ダイナミックな動きをさせることができる走行玩具システムを提供すること。【解決手段】走行玩具Ｃと該走行玩具Ｃが走行する走行路Ａとの組合せからなる、以下の要件を備えることを特徴とする走行玩具システム。（イ）上記走行路Ａには左右に分離可能な形象物Ｂが走路面を塞ぐように配置され、該形象物Ｂは該走行路Ａを走行する走行玩具Ｃによって左右に２つに分離され走路面を開放すること（ロ）上記走行路Ａには２つに分離された形象物を元の形状に復元させる復元機構Ｄが設けられ、該復元機構Ｄは走行路Ａを走行する走行玩具Ｃの駆動輪４０の回転を動力として作動すること【選択図】        図１
2004229813.tif 000002
【特許請求の範囲】
【請求項１】
走行玩具と該走行玩具が走行する走行路との組合せからなる、以下の要件を備えることを特徴とする走行玩具システム。
（イ）上記走行路には左右に分離可能な形象物が走路面を塞ぐように配置され、該形象物は該走行路を走行する走行玩具によって左右に２つに分離され走路面を開放すること
（ロ）上記走行路には２つに分離された形象物を元の形状に復元させる復元機構が設けられ、該復元機構は走行路を走行する走行玩具の駆動輪の回転を動力として作動すること
【請求項２】
前記形象物は前方から走行してくる走行玩具によって分離され、前記復元機構は形象物の後方から走行してくる走行玩具によって作動し、分離された形象物を復元する、請求項１記載の走行玩具システム。
【請求項３】
前記走行路には、前記形象物の後方から走行する走行玩具に作用して該走行玩具の走行を阻止する走行阻止手段を設け、前記復元機構は前記走行玩具が走行阻止手段で走行が阻止されたときに前記駆動輪に連係する、請求項１又は２記載の走行玩具システム。
【発明の詳細な説明】
【０００１】
【発明の属する技術分野】
本発明は、走行玩具システム、詳しくは走行路上に配置された形象物が走行路を走行する走行玩具により分断され、分断された形象物は走行玩具の駆動輪を動力として作動する復元機構で復元される走行玩具システムに関する。
【０００２】
【従来の技術】
従来、走行路とその走行路を走行する走行玩具との組合せからなる走行玩具としては様々なシステムが提案されている。走行玩具が単に走行路を走行するだけでは飽きてしまうので、走行路の近傍に走行玩具に関連する形象物を配置し、走行玩具がその形象物の近傍を通過又は接近したときに形象物が備えたスピーカから音を出力させたり、発光ダイオードを点滅させたりする鉄道玩具システムが提案されている。（例えば、特許文献１参照）
【特許文献１】
登録実用新案第３０８０４１０号公報（第３−４頁、図１）
【０００３】
【発明が解決しようとする課題】
しかしながら、上述の鉄道玩具システムでは鉄道玩具がレールの近傍に配置された鉄道玩具に関連した形象物の近傍を通過又は接近した際に、音を出力したり光を発したりする効果を演出するものであって、鉄道玩具と形象物とが直接的に係りあうものではなく、動きがダイナミックではなかった。
【０００４】
本発明は上記問題点を解消し、走行玩具が走行する走行路に設けられた形象物に直接関係し、ダイナミックな動きをさせることができる走行玩具システムを提供することをその課題とする。
【０００５】
【課題を解決するための手段】
前記課題を解決するため、本発明に係る走行玩具システムは、走行玩具と該走行玩具が走行する走行路との組合せからなる、以下の要件を備えることを特徴とする。
（イ）上記走行路には左右に分離可能な形象物が走路面を塞ぐように配置され、該形象物は該走行路を走行する走行玩具によって左右に２つに分離され走路面を開放すること
（ロ）上記走行路には２つに分離された形象物を元の形状に復元させる復元機構が設けられ、該復元機構は走行路を走行する走行玩具の駆動輪の回転を動力として作動すること
【０００６】
なお、前記形象物は前方から走行してくる走行玩具によって分離され、前記復元機構は形象物の後方から走行してくる走行玩具によって作動し、分離された形象物を復元させるようにしてもよい。
【０００７】
また、前記走行路には、前記形象物の後方から走行する走行玩具に作用して該走行玩具の走行を阻止する走行阻止手段を設け、前記復元機構は前記走行玩具が走行阻止手段で走行が阻止されたときに前記駆動輪に連係させればよい。
【０００８】
【発明の実施の形態】
図１は、本発明に係る走行玩具システムの一例を示し、この走行玩具システムは走行路Ａを塞ぐように配置されるとともにロボットを模して形成された形象物Ｂと、機関車を模して形成された走行玩具Ｃとの組合せからなるもので、往路走行では走行玩具が形象物Ｂを破壊するように左右に分離して通過し、復路走行では復元機構Ｄを作動させて分離された形象物Ｂを復元するようになっているものである。
【０００９】
ロボットを模して形成された形象物Ｂは中央から左右に分割された左部材Ｂ１と右部材Ｂ２とからなり、それぞれ走行路Ａの両側部に配置された支持部材１に形成されたヒンジ１ａに支軸３で後部が外方に向かって回動するようにヒンジ２ａが支持された回動板２上に適宜手段で固定されている。
【００１０】
支持部材１は、図２、図３に示すように、走行路Ａに形成された支持板５上に形成された軸受９ａ、９ｂ、９ｃに回動可能に軸支された軸６で起倒可能且つ前後にスライド移動可能に軸支され、スプリング７で常に前方にスライド移動するように付勢され、支持部材１が後方にスライド移動した時には、ヒンジ１ａが軸受９ａから外れるようになっている。
【００１１】
支持部材１が後方にスライド移動し、ヒンジ１ａが支持板５に形成された軸受９ａ上から外れるとともに、回動板２が支軸３を中心に外側に回動した時には左部材Ｂ１と右部材Ｂ２との重心がそれぞれ走行路Ａの外側に移動し、支持部材１は回動板２、形象物Ｂとともに外側に倒れるようになっている。
【００１２】
なお、支軸３には回動板２を内側方向に回動させるスプリング４が取り付けられている。
【００１３】
そして支持部材１の中央には平歯車８が一体に形成され、この平歯車８は支持部材１がスプリング７に付勢されて前方にスライド移動したときに走行路Ａの内部に配置された後述する駆動歯車３４、３５に噛み合うようになっている。
【００１４】
なお、形象物Ｂは走行玩具Ｃの先端のスカート部１０によって分離されやすいように先端に設けられた係合部１１の下部が斜め後方に傾斜し、走行玩具Ｃのスカート部１０が形象物Ｂの下に入り込みながら左右に押し広げるようになっている。
【００１５】
そして、走行路Ａの先端にはターンテーブル１２が連結され、走行玩具Ｃがテーブル１３に乗り移り、走行玩具Ｃの駆動輪４０がローラ４１を回転させると、図示しない回転駆動機構が作動してテーブル１３が回転し、テーブル１３が１８０度回転すると、走行玩具Ｃは再び走行路Ａに進入して復路走行し、復元機構Ｄを作動させて分離された形象物Ｂを復元するようになっている。
【００１６】
復元機構Ｄは、形象物Ｂの手前の走行面に形成された開口部１５（１５ａ、１５ｂ）から露出したローラ１６（１６ａ、１６ｂ）を回転させることによって作動するようになっているもので、走行玩具Ｃが復路走行において走行阻止手段であるストッパー１７で走行が阻止されたときには、ローラ１６ａ、１６ｂ上に駆動輪４０ａ、４０ｂが乗り上げた状態になり、駆動輪４０ａ、４０ｂがローラ１６ａ、１６ｂを回転するようになっている。
【００１７】
なお、ストッパー１７はスプリング１８で常に係止爪１７ａが走路面に形成された開口部１９から上方に突出するように付勢されているが、係止爪１７ａは前部が前下がりに形成されているので、走行玩具Ｃの往路走行では、後述する走行玩具Ｃの底部に形成された係合軸４５に係止爪１７ａは押し下げられ、復路走行では係合軸４５が係止爪１７ａに突き当たって走行玩具Ｃの走行が阻止されるようになっている。
【００１８】
このストッパー１７の後端には係合片１７ｂが下方に突出形成され、この係合片１７ｂは支持部材１に形成された歯車８の後側の側面に当接しているので、支持部材１が後方にスライド移動したときには歯車８に押されてストッパー１７は後方に強制的に移動させられ、支持部材１が前方にスライド移動したときには歯車８による押圧が解除されて前方にスライド移動できるようになっている。
【００１９】
上記ストッパー１７は前方に移動する際は、係止爪１７ａの前部が前下がりになっているので開口部１９の下に潜り込むようになり、結果として係止爪１７ａが下がり、ストッパー１７による走行玩具の走行阻止が解除されるようになっている。
【００２０】
復元機構Ｄは、図４に示すように、ローラ１６ｂに一体に形成された歯車２０（２０ａ）に噛み合うクラウン歯車２１、クラウン歯車２１と同軸のクラウン歯車２２、ピニオン歯車２３、クラウン歯車２４、２５を介してローラ１６ｄに一体に形成された歯車２０ｄ、歯車２０ｃ、２０ｄにそれぞれ噛み合うクラウン歯車２６、２７と、複数の減速歯車からなる減速歯車群２８、２９と、減速歯車群２８、２９を介して回転するクラッチ歯車３０、３１とクラッチ歯車３０、３１の軸３２、３３にそれぞれ軸着された駆動ギヤ３４、３５とで構成され、ローラ１６ａ、１６ｂが回転することにより最終的に駆動歯車３４、３５が回転するようになっている。
【００２１】
駆動歯車３４、３５が回転すると、支持部材１に形成された平歯車８が回転し、支持部材１は徐々に起き上がり、図９に示すように、形象物Ａを元の状態に復元することができるようになっている。
【００２２】
走行玩具Ｃは、機関車を模して形成され、図示しないモータを駆動力として駆動車輪４０を回転させるようになっているもので、駆動車輪４０のトレッド部分には走行路及びローラとのグリップをよくするために摩擦係数の高いゴムベルト４４が周設され、駆動輪４０ａの内側面には歯車４２が一体に形成され、この歯車４２はローラ１６ａに一体に形成された歯車４３に噛み合うようになっており、駆動輪４０ａとローラ１６ａとがスリップすることなく、確実に回転が伝達されるようになっている（図５参照）。
【００２３】
そして、底面の前部中央に突出形成された係合軸４５は、走行玩具の往路走行では係合軸４５はストッパー１７を押し下げてストッパー１７に止められることなくそのまま通過し、復路走行では係合軸４５がストッパー１７に引っかかり、走行が阻止されるようになっている。このとき、走行玩具の駆動輪４０ａ、４０ｂはローラ１６ａ、１６ｂに乗り上げた状態にあるのでローラ１６ａ、１６ｂは駆動輪４０ａ、４０ｂによって回転させられる。
【００２４】
上記構成の走行玩具システムによれば、走行路Ａを往路走行（形象物Ｂの前部に向かう走行）する走行玩具Ｃが、形象物Ｂに突き当たると、走行玩具Ｃの前部に形成されたスカート部１０が形象物Ｂを押しながら左右に押し開く。
【００２５】
このとき、駆動輪４０ａに一体に形成された歯車４２は走行面に突出形成されたラックギヤ４６に噛み込んだ状態（アプト式鉄道と同じ状態）で前進するので、走路面でスリップすることなく確実に前進し、形象物Ｂを左右に押し分けながら前進することができる。このとき、支持部材１は、図６（ａ）に示すように、スプリング７に抗して後方にスライド移動するので軸受９ａ上から支持部材１のヒンジ１ａが外れ、平歯車８、８と駆動歯車３４、３５との噛み合いが外れる。
【００２６】
加えて、形象物Ｂ（回動板２）の前部は支持部材１の前部に支軸３で回動可能に軸支されているので、形象物Ｂ（回動板２）の後部は支持部材１上を外側に向かって移動することになるが、形象物Ｂ（回動板２）は走路面に形成された山形の突起４６に乗り上げるので上部が外側に傾き重心が外側に移動して、左部材Ｂ１と右部材Ｂ２とはそれぞれ支持部材１ごと支持部５に対し軸６を中心に外側に向かって倒れることになる（図６（ｂ）参照）。
【００２７】
形象物Ｂが倒れると走路面が開放されるので、図８に示すように、走行玩具Ｃはそのまま前進をする。走行路の先端には、ターンテーブル１２が設けてあるので、ターンテーブル１２のテーブル１３上に走行玩具Ｃが乗り移ると、走行玩具Ｃの駆動輪４０の回転を駆動源として作動する回転駆動機構（図示せず）がテーブルを１８０度回転させるので走行玩具Ｃはターンテーブルから再び走行路Ｃに進入し、復路走行を行なうことになる。
【００２８】
走行玩具Ｃが分離（以下、破壊という）した形象物Ｂ（Ｂ１、Ｂ２）の間を通り抜け、図７（ａ）に示すように、ストッパー１７の係止爪１７ａに引っかかると前進が阻止される。このとき、走行玩具Ｃの駆動輪４０ａ、４０ｂがローラ１６ａ、１６ｂ上に乗り上げ、ローラ１６ａ、１６ｂを回転させるので、駆動歯車３４、３５が回転する。
【００２９】
支持部材１はスプリング７で前方に付勢され、平歯車８、８が駆動歯車３４、３５にそれぞれ噛み合った状態になっているので、駆動歯車３４、３５の回転に連係して左部材Ｂ１と右部材Ｂ２とはゆっくりと起き上がり、やがて左部材Ｂ１と右部材Ｂ２とが合わさって、図９に示すように、１つの形象物Ｂに復元される。
【００３０】
この状態になると、支持部材１のヒンジ１ａが軸受９ａの側面に当接している状態が解除されるので、支持部材１はスプリング７に付勢されて前方にスライド移動する。支持部材１が前方に移動すると、歯車８で前進が阻止されていたストッパー１７が前方に移動できる状態になるので、走行玩具の係合軸４５で前方に押されることになる。ストッパー１７の先端の係止爪１７ａは斜め前下がりに形成されているので開口部１９の内壁面１９ａに沿って下降することになり、係止爪１７ａによる係合軸４５の係止が解除され、走行玩具の走行阻止が解除されるので、走行玩具は走行を再開することができる（図７（ｂ）参照）。
【００３１】
上述のように、走行路Ａに設けられた形象物Ｂは走行玩具Ｃが突き当たることにより中央から２つに破壊され外側に倒れるので、走路面には走行玩具Ｃの走行に支障となるものがなくなり、引き続き前進することができる。走行玩具が同じ走行路を戻り（復路走行）、破壊された形象物Ｂを通過した段階でストッパー１７に係合軸４５が引っかかって走行が阻止される状態で、駆動輪４０ａ、４０ｂはローラ１６ａ、１６ｂを回転させることができる位置に対応しているので、駆動輪４０ａ、４０ｂはローラ１６ａ、１６ｂを回転させ、復元機構Ｄが作動する。復元機構Ｄが作動すると、最終的に駆動歯車３４、３５が回転する。
【００３２】
この駆動歯車３４、３５には形象物Ｂの支持部材１に形成された平歯車８、８が噛み合っているので、支持部材１は起き上がるように作動する。この支持部材１には形象物Ｂ（左部材Ｂ１、右部材Ｂ２）が取り付けられているので形象物Ｂも支持部材１とともに立ち上り、破壊された２つの形象物Ｂ（左部材Ｂ１、右部材Ｂ２）が合わさった状態に復元される（図９参照）。形象物Ｂが復元されると走行玩具Ｃはストッパー１７による走行阻止が解除されるので再び走行を開始し、一旦破壊した形象物Ｂを使用者が何ら手を加えることなく復元させることができ、単に走行路を走行するだけではなく、走行玩具が走行路に設けられた形象物Ｂに直接関係し、ダイナミックな動きをさせることができる走行玩具システムを提供することができる。
【００３３】
なお、本発明では、走行路Ａの終端にターンテーブル１２を設け、往路走行で形象物Ｂを破壊した走行玩具が、ターンテーブル１２で走行路Ａに再び進入し、復路走行で破壊した形象物を同じ走行玩具で復元させているが、反対側から走行してくる他の走行玩具が復元機構を作動させて破壊された形象物を復元させてもよい。
【００３４】
【発明の効果】
請求項１の発明によれば、走行路を塞ぐように配置された形象物は左右に分離可能に形成され、分離された形象物は復元機構により元の状態に復元されるようになっており、走行玩具が形象物に突き当たることにより分離され、分離された形象物は走行玩具の駆動輪の回転を動力として作動する復元機構により復元されるので、形象物の分離、復元がユーザーの手を煩わせることなく走行路上を走行する走行玩具によって行なわれるので、単に走行玩具が走行路を走行するシステムでは味わうことのできないダイナミックな動きを楽しむことができる。
【００３５】
請求項２の発明によれば、形象物は前面に向かって走行してくる走行玩具によって分離され、分離された形象物は形象物の後方から走行してきた走行玩具によって復元されるので、往路走行の走行玩具で分離され復路走行の走行玩具で復元させることができる。
【００３６】
請求項３の発明によれば、走行玩具が走行阻止手段によって走行が阻止されたときには駆動輪の回転が走行ではなく、復元機構の動作に利用されるので復元機構に特別な動力源を設ける必要が無い。
【図面の簡単な説明】
【図１】本発明に係る走行玩具システムの構成を説明する斜視図
【図２】走行路の構造を説明する斜視図
【図３】走行路の構造を説明する側面図
【図４】復元機構の構成を説明する走行路の内部構造の底面図
【図５】走行玩具の底面図
【図６】（ａ）（ｂ）は往路走行の走行玩具と走行路との関係を説明する側面図
【図７】（ａ）（ｂ）は復路走行の走行玩具と走行路との関係を説明する側面図
【図８】走行玩具が形象物を分離して走行を続ける状態を説明する斜視図
【図９】走行玩具が形象物を復元させた状態を説明する斜視図
【符号の説明】
１７  走行阻止手段（ストッパー）
４０  駆動輪
Ａ  走行路
Ｂ  形象物
Ｃ  走行玩具
Ｄ  復元機構
【図１】
2004229813.tif 000003
【図２】
2004229813.tif 000004
【図３】
2004229813.tif 000005
【図４】
2004229813.tif 000006
【図５】
2004229813.tif 000007
【図６】
2004229813.tif 000008
【図７】
2004229813.tif 000009
【図８】
2004229813.tif 000010
【図９】
2004229813.tif 000011